(57)【要約】【課題】撒き餌を零さずに遠投でき、かつ、遠投時に身体のバランスを崩す恐れのない遠投杓を提供することである。【解決手段】柄１を撓みに対する反発力を有するカーボンファイバを樹脂で固めた丸棒で形成し、平面形状を略矩形状としたスプーン２の上端縁に先端側へ向かって下降傾斜する逃げ２ａを設けることにより、一方の手で柄１の基端の把手３を持って、もう一方の手の平で撒き餌を入れたスプーン２の上端縁を押さえて柄１を撓め、この押さえた手を放して柄１の反発力で撒き餌を遠投可能とするとともに、スプーン２の上端縁を押さえた手の平を先端側へ下降傾斜する逃げ２ａに沿わせて、スプーン２に入った撒き餌が零れないようにスムーズに放せるようにした。【選択図】図３
0003101759.tif 000002
【実用新案登録請求の範囲】
【請求項１】
遠投する撒き餌を入れるスプーンを柄の先端に取り付けた遠投杓において、前記柄を撓みに対する反発力を有する可撓性部材で形成し、前記スプーンの上端縁に、先端側へ向かって下降傾斜する逃げを設けたことを特徴とする遠投杓。
【請求項２】
前記柄に先細のテーパを付与した請求項１に記載の遠投杓。
【請求項３】
前記スプーンの平面形状を略矩形状とした請求項１または２に記載の遠投杓。
【考案の詳細な説明】
【技術分野】
【０００１】
この考案は、撒き餌を遠投するための遠投杓に関するものである。
【背景技術】
【０００２】
仕掛けを遠方に投げ入れる投げ釣りでは、仕掛けの近くに撒き餌を散布するために、遠投する撒き餌を入れるスプーンを柄の先端に取り付けた遠投杓を用いることがある。釣り人は柄の基端を持って、ボールを上手投げする要領で、遠投杓を後方へ引いてから前方へスイングし、柄の長さで先端のスイング速度が大きくなることを利用して、スプーンに入れた撒き餌を遠投する。従来の遠投杓の柄は、スイングに対する剛性を確保できるように、あまり撓まないように設計されている。
【考案の開示】
【考案が解決しようとする課題】
【０００３】
上述した従来のスイング式の遠投杓は、後方へ引くときや前方へスイングするときに、スプーンに入れた撒き餌が零れやすい問題がある。特に、撒き餌に生き海老等の生餌を用いるときは零れやすい。
【０００４】
また、遠投杓をスイングするために全身を使う必要があるので、足場の悪い釣り場では、身体のバランスを崩して転倒する恐れもある。
【０００５】
そこで、この考案の課題は、撒き餌を零さずに遠投でき、かつ、遠投時に身体のバランスを崩す恐れのない遠投杓を提供することである。
【課題を解決するための手段】
【０００６】
上記の課題を解決するために、この考案は、遠投する撒き餌を入れるスプーンを柄の先端に取り付けた遠投杓において、前記柄を撓みに対する反発力を有する可撓性部材で形成し、前記スプーンの上端縁に、先端側へ向かって下降傾斜する逃げを設けた構成を採用した。
【０００７】
すなわち、柄を撓みに対する反発力を有する可撓性部材で形成し、スプーンの上端縁に先端側へ向かって下降傾斜する逃げを設けることにより、一方の手で柄の基端を持って、もう一方の手の平で撒き餌を入れたスプーンの上端縁を押さえて柄を撓め、この押さえた手を放して柄の反発力で撒き餌を遠投可能とするとともに、スプーンの上端縁を押さえた手の平を先端側へ下降傾斜する逃げに沿わせて、スプーンに入った撒き餌が零れないようにスムーズに放せるようにした。また、スプーンの上端縁は、逃げを設けることによって、押さえる手の平に角なしで滑らかに当たるので、柄を撓めるために強く当てられる手の平が痛くなることもない。
【０００８】
前記柄に先細のテーパを付与することにより、よりしなやかに柄を撓めて、その反発力を得ることができる。
【０００９】
前記スプーンの平面形状を略矩形状とすることにより、上端縁を押さえた手の平を逃げに沿わせて放すときに、上端縁が一定の広い幅で手の平に当たり、より安定して手の平を放せるとともに、柄を撓めたときの手の平への上端縁の当たりもより滑らかで痛くないものとすることができる。
【考案の効果】
【００１０】
この考案の遠投杓は、柄を撓みに対する反発力を有する可撓性部材で形成し、スプーンの上端縁に先端側へ向かって下降傾斜する逃げを設けたので、一方の手で柄の基端を持って、もう一方の手の平で撒き餌を入れたスプーンの上端縁を押さえて柄を撓め、この押さえた手を放して柄の反発力で撒き餌を遠投できるとともに、スプーンの上端縁を押さえた手の平を先端側へ下降傾斜する逃げに沿わせて、スプーンに入った撒き餌が零れないようにスムーズに放すことができる。また、スプーンの上端縁は、逃げを設けることによって、押さえる手の平に角なしで滑らかに当たるので、柄を撓めるために強く当てられる手の平が痛くなることもない。
【００１１】
前記柄に先細のテーパを付与することにより、よりしなやかに柄を撓めて、その反発力を得ることができる。
【００１２】
前記スプーンの平面形状を略矩形状とすることにより、上端縁を押さえた手の平を逃げに沿わせて放すときに、上端縁が一定の広い幅で手の平に当たり、より安定して手の平を放せるとともに、柄を撓めたときの手の平への上端縁の当たりもより滑らかで痛くないものとすることができる。
【考案を実施するための最良の形態】
【００１３】
以下、図面に基づき、この考案の実施形態を説明する。この遠投杓は、図１に示すように、柄１の先端に撒き餌を入れるスプーン２を取り付け、基端に把手３を取り付けたものであり、柄１は撓みに対する強い反発力を有するように、カーボンファイバを樹脂で固めた丸棒で形成されている。また、図１では明瞭でないが、わずかに先細のテーパを付与されている。
【００１４】
図２（ａ）、（ｂ）に示すように、前記スプーン２は平面形状が略矩形状とされ、上端縁に先端側へ向かって下降傾斜する逃げ２ａが設けられ、撒き餌に生き海老等の生餌を用いるときのために、底には水きり孔２ｂが設けられている。また、把手３には親指を押し当てる指当て部３ａが設けられ、その全長に渡って柄１が埋め込まれている。
【００１５】
図３は、上述した遠投杓の使用方法を示す。まず、一方の手で把手３を持って親指を指当て部３ａに押し当て、もう一方の手の平で撒き餌を入れたスプーン２の上端縁を押さえて柄１を後方へ撓める。こののち、スプーン２の上端縁を押さえた手の平を、上端縁の逃げ２ａに沿わせてその先端側へ放すことにより、図中に矢印で示すように、撓められた柄１が反発力で前方へ戻り、スプーン２に入った撒き餌が零れることなくスムーズに遠投される。したがって、この遠投杓は両手を使うのみで、従来の遠投杓のように全身を使ってスイングする必要がないので、足場の悪い釣り場でも身体のバランスを崩すことはない。
【００１６】
上述した実施形態では、遠投杓の柄をカーボンファイバの丸棒で形成したが、柄は撓みに対する反発力を有するものであればよく、グラスファイバやばね鋼等で形成することもできる。断面形状も丸棒に限定されることはない。また、スプーンは上端縁に先端側へ向かって下降傾斜する逃げを設けたものであればよく、実施形態のものに限定されることはない。
【図面の簡単な説明】
【００１７】
【図１】遠投杓の実施形態を示す外観斜視図
【図２】ａは図１の一部省略切欠き側面図、ｂはａの先端部の平面図
【図３】図１の遠投杓の使用方法を示す斜視図
【符号の説明】
【００１８】
１  柄
２  スプーン
２ａ  逃げ
２ｂ  水きり孔
３  把手
３ａ  指当て部
【図１】
0003101759.tif 000003
【図２】
0003101759.tif 000004
【図３】
0003101759.tif 000005